(57)【要約】  本発明は、１，０００，０００μｍ２以下の断面積を有する少なくとも１つの非不透明微小ゾーン（３０）と、少なくとも１つの回折光学要素（４０）であって、非不透明微小ゾーン（３０）に少なくとも部分的に垂直に隣接した回折光学要素（４０）から隔てられたビュー平面（６２）に少なくとも１つの干渉パターン（６６）を生成する前記少なくとも１つの回折光学要素（４０）とを備えているセキュリティ構造（１）に関する。【選択図】図１
2016530118.tif 000002
【特許請求の範囲】
【請求項１】
１００００００μｍ２以下の断面積を有する少なくとも１つの非不透明微小領域（３０）と、
前記非不透明微小領域（３０）の上に少なくとも部分的に重ねられたディジタル型の少なくとも１つの回折光学要素（４０）であって、前記回折光学要素（４０）から距離を置いて位置する像形成平面（６２）に少なくとも１つの干渉パターン（６６）を生成する前記少なくとも１つの回折光学要素（４０）と
を備えているセキュリティ構造（２）。
【請求項２】
前記非不透明微小領域（３０）は、実質的に不透明な材料の層（１８；２０）内における材料の不在によって画定されている、請求項１に記載の構造。
【請求項３】
前記非不透明微小領域（３０）は微小穿孔によって画定されている、請求項１又は２に記載の構造。
【請求項４】
前記非不透明微小領域（３０）は脱金属化によって画定されている、請求項１又は２に記載の構造。
【請求項５】
前記非不透明微小領域（３０）の境界は、不透明インクを用いた印刷によって画定されている、請求項１〜４のいずれか一項に記載の構造。
【請求項６】
前記非不透明微小領域（３０）は、２０００００μｍ２以下、又は、望ましくは１０μｍ２〜２０００００μｍ２の範囲、又は、さらに望ましくは５０００μｍ２〜２０００００μｍ２の範囲、の断面積を有する、請求項１〜５のいずれか一項に記載の構造。
【請求項７】
前記回折光学要素（４０）によって生成された前記干渉パターン（６６）は、少なくとも部分的に、又は望ましくはその全体が、前記セキュリティ構造（２）上で、又は前記セキュリティ構造（２）を特に、印刷された特徴の形態、ウォーターマークの形態、微小穿孔又は金属化若しくは脱金属化によって生成されたパターンの形態で組み込んだ物品（１０）上で、見つけられる、請求項１〜６のいずれか一項に記載の構造。
【請求項８】
前記干渉パターン（６６）は、少なくとも部分的に、又は望ましくはその全体が、前記セキュリティ構造（２）又は前記セキュリティ構造（２）を微小穿孔（１９）によって生成されたパターンの形態で組み込んだ物品（１０）上で見つけられ、前記微小穿孔（１９）のうちの１つは、上記非不透明微小領域（３０）を画定している、請求項１〜７のいずれか一項に記載の構造。
【請求項９】
パターンを形成している前記非不透明微小領域（３０）は、前記干渉パターン（６６）の少なくとも一部分上で見つけられ、好ましくは前記干渉パターン（６６）と同一であるか又は類似している、請求項１〜８のいずれか一項に記載の構造。
【請求項１０】
前記回折光学要素（４０）と前記非不透明微小領域（３０）を担持するサブ要素との間に配置された保護接着剤構造（４５）を備えている、請求項１〜９のいずれか一項に記載の構造。
【請求項１１】
前記保護接着剤構造（４５）は、接着剤材料とＨＲＩ材料との混合物を含む、請求項１０に記載の構造。
【請求項１２】
前記保護接着剤構造（４５）は、ＨＲＩ材料の層、好ましくは真空蒸着によって前記回折光学要素上に堆積されたＨＲＩ材料の層と、接着剤材料の層とから形成されている、請求項１０に記載の構造。
【請求項１３】
前記保護接着剤構造（４５）は、少なくとも１つの微小穿孔を、少なくとも部分的に、又は望ましくは完全に、満たしている、請求項１０〜１２のいずれか一項に記載の構造。
【請求項１４】
保護構造（４７）に関連付けられた接着剤構造（４６）であって、前記回折光学要素（４０）と前記非不透明微小領域（３０）を担持するサブ要素との間に配置された接着剤構造（４６）を備えている、請求項１〜９のいずれか一項に記載の構造。
【請求項１５】
前記保護構造（４７）は、ＨＲＩ材料と結合剤との混合物を含み、前記回折光学要素（４０）に施与されている、請求項１４に記載の構造。
【請求項１６】
前記接着剤構造（４６）は、前記非不透明微小領域（３０）を担持するサブ要素と前記保護構造（４７）との間に配置されている、請求項１４に記載の構造。
【請求項１７】
前記保護構造（４７）は、ＨＲＩ材料の層（４７ａ）と結合剤を含む層（４７ｂ）との重ね合わせから形成されており、結合剤を含む前記層（４７ｂ）は、ＨＲＩ材料の前記層（４７ａ）上に配置されている、請求項１〜９のいずれか一項に記載の構造。
【請求項１８】
前記接着剤構造（４６）は、前記非不透明微小領域（３０）を担持する第２のサブ要素と、前記回折光学要素（４０）を担持する第１のサブ要素の、回折光学要素（４０）がない方の側との間に配置されている、請求項１４〜１７のいずれか一項に記載の構造。
【請求項１９】
前記接着剤構造は、少なくとも１つの微小穿孔を、少なくとも部分的に、又は望ましくは完全に、満たしている、請求項１４〜１８のいずれか一項に記載の構造。
【請求項２０】
前記回折光学要素（４０）は、５０μｍ以下の厚さを有する、好ましくは透明な、熱可塑性フィルム（４３）上に形成されている、請求項１〜１９のいずれか一項に記載の構造。
【請求項２１】
前記熱可塑性フィルム（４３）は、上記非不透明微小領域（３０）を画定する少なくとも部分的に不透明な層（２０）と積層されている、請求項２０に記載の構造。
【請求項２２】
前記熱可塑性フィルム（４３）は、前記回折光学要素（４０）と少なくとも部分的に重ね合わされた少なくとも１つの透明領域（２３）を有するセキュリティ要素（２０）と、特にセキュリティスレッド又はフォイル、及びセキュリティ要素、特に、印刷された特徴の形態、ウォーターマークの形態、微小穿孔又は金属化若しくは脱金属化によって生成されたパターンの形態のセキュリティ要素と積層されている、請求項２１に記載の構造。
【請求項２３】
複数の上記回折光学要素（４０）と、複数の非不透明微小領域（３０）とを備えており、それぞれの前記複数の非不透明微小領域（３０）は特に、少なくとも１つの対応するそれぞれの回折光学要素（４０）の上に少なくとも部分的に重ねられている、請求項１〜２２のいずれか一項に記載の構造。
【請求項２４】
前記非不透明微小領域（３０）と少なくとも部分的に重ね合わされた少なくとも１つの光学フィルター（８０）、特に着色フィルター、を備えている、請求項１〜２３のいずれか一項に記載の構造。
【請求項２５】
パッチ、フォイル又はセキュリティスレッドを形成する、請求項１〜２４のいずれか一項に記載の構造。
【請求項２６】
上記非不透明微小領域を画定する、少なくとも部分的に不透明な繊維質層（１８）を備えている、請求項１〜２５のいずれか一項に記載の構造。
【請求項２７】
請求項１〜２６のいずれか一項に記載のセキュリティ構造（２）を備えているセキュア物品（１０）。
【請求項２８】
少なくとも１つの窓（１５）を有する基体（１１）、特に繊維質の基体（１１）、を備えており、この窓（１５）は、前記回折光学要素（４０）の上と上記第１の非不透明微小領域（３０）の上の両方に、少なくとも部分的に重ねられている、請求項２７に記載のセキュア物品。
【請求項２９】
少なくとも第２の非不透明微小領域（１６）を有する基体（１１）を備えており、前記第２の非不透明微小領域（１６）は、前記回折光学要素（４０）の上と前記非不透明微小領域（３０）の上の両方に、少なくとも部分的に重ねられている、請求項２７に記載のセキュア物品。
【請求項３０】
前記物品は、パスポート、識別カード、運転免許証、インタラクティブプレイングカード若しくはコレクターズカード、支払い手段、特にペイメントカード、紙幣、クーポン若しくはバウチャー、セキュアタグ、トラベルカード、ロイヤルティカード、サービスカード若しくはメンバーシップカード、又は特定の支払い手段、例えばトークン若しくはチップ、特にカジノで使用されるチップ、である、請求項２７〜２９のいずれか一項に記載のセキュア物品。
【請求項３１】
前記干渉パターン（６６）と少なくとも部分的に同一であるか又は類似している少なくとも１つのセキュリティ要素又はパターンを有する、請求項２７〜３０のいずれか一項に記載のセキュア物品。
【請求項３２】
請求項１〜２６のいずれか一項に記載のセキュリティ構造の認証方法であって、下記工程：
前記回折光学要素を光源（６０）を用いて照明する工程、
前記回折光学要素（４０）から距離を置いて位置する像形成平面（６２）における干渉パターン（６６）の存在を、特に前記非不透明微小領域を通して、検証する工程
を含む、前記方法。
【請求項３３】
干渉パターン（６６）の存在の前記検証は、カメラを備えている装置、特に携帯電話、によって実施される、請求項３２に記載の方法。
【請求項３４】
前記回折光学要素（４０）によって生成された前記干渉パターン（６６）と、前記文書上に存在するパターン（５０）、特に、ウォーターマーク、印刷された特徴、金属化若しくは脱金属化、又は微小穿孔によって画定されたパターン（５０）、とを比較する工程を含む、請求項３２又は３３に記載の方法。
【発明の詳細な説明】
【技術分野】
【０００１】
本発明は、セキュリティ構造、及び該構造を備えているセキュア物品（secure  article）、特に文書（document）、に関する。
【背景技術】
【０００２】
セキュリティ要素としての複数の回折光学要素（diffractive  optical  elements：ＤＯＥs）を使用することは、光源から始まる干渉パターン（an  interference  pattern）を生成する為に知られている。これら要素は、像形成平面に向かってその要素を通り抜ける際の回折及び透過によって干渉パターンを生成するために、単色光又は多色光によって照明されることを目的にして形成されうる。場合によって、この像形成平面は、仮想の平面であり、要素と光源との間に置かれ、又は、源から見て要素の後ろに位置する実在の表面によって実現されうる。
【０００３】
国際公開第０１／００４１８号は、レーザーアブレーションによって文書上に直接的に形成された回折光学要素を記載する。
【０００４】
オーストラリア国特許出願第ＡＵ２０１３１００１７２号は、レーザーアブレーションによって形成された、回折光学要素を生み出す多数の開口と、一連の溝及び液晶層を表面に有する反射層とを備えているセキュリティ文書を記載する。
【０００５】
国際公開第９９／３７４８８号は、可塑性材料を使用したセキュリティ文書であって、上記要素から距離を置いて位置する同じ文書上の別の窓の存在のおかげで平行多色光源を使用して見られるような態様で、回折光学要素が、透明又は半透明の窓上又は窓の中に配置されたセキュリティ文書を記載する。
【０００６】
国際公開第２００７／０７９５４９号は、セキュリティ文書上の回折光学要素の使用及びビューイング（viewing）を記載する。それらの要素は、個々のデータ、特に文書、上の他の場所に存在するデータ、例えば識別文書の場合の顔写真又は婚姻上の身分、を記録するような態様で形成される。
【０００７】
国際公開第２００８／０３１１７０号は、少なくとも１つの回折光学要素と、レンズを含み、又はエンボス加工によって形成されたレリーフ構造を有する別のセキュリティ要素を含む、光学構造とを備えているセキュリティ文書の製造及び使用を記載する。この出願はさらに、バイナリー回折光学要素又は幾つかの位相レベルを有する要素の使用及びビューイングを記載する。
【０００８】
オーストラリア国特許出願第ＡＵ２０１１１０１５６７号は、少なくとも３つの異なる波長に感応する、セキュリティ文書上の回折光学要素の使用及びビューイングを記載する。それらの回折光学要素は、３つの異なる長さを用いて記録され、干渉パターンは、適当な波長で照明することによって再現される。
【発明の概要】
【発明が解決しようとする課題】
【０００９】
回折光学要素の製造時に文書の全体が存在する必要なしに、回折光学要素を、様々な種類の基体とともに使用することができる必要性がある。
【００１０】
特に偽造をより困難にするために、セキュリティ構造及び該構造を統合したセキュア物品をさらに強化する必要性がまたある。
【００１１】
本発明は、これらの必要性の全て又は一部を満たすことを目的とする。
【課題を解決するための手段】
【００１２】
本発明の１つの主題は、その観点のうちの第１の観点に従うと、
１００００００μｍ２以下の断面積を有する少なくとも１つの非不透明微小領域と、
上記非不透明微小領域の上に少なくとも部分的に重ねられた少なくとも１つの回折光学要素であって、回折光学要素から距離を置いて位置する像形成平面に少なくとも１つの干渉パターンを生成する上記少なくとも１つの回折光学要素と
を備えているセキュリティ構造である。
【００１３】
本発明は、本発明の非限定的な例示的実施形態の以下の詳細な説明を読み、添付図面を検討することによって、より良く理解されることができる。
【図面の簡単な説明】
【００１４】
【図１】本発明に従うセキュア文書の一例を模式的に示す図である。
【図２】図１のＩＩ−ＩＩに沿った断面図である。
【図３】図１の例の変形形態の、図２に類似した図である。
【図４】図１の例の変形形態の、図２に類似した図である。
【図５】図１の例の変形形態の、図２に類似した図である。
【図６】図１の例の変形形態の、図２に類似した図である。
【図７】本発明に従うセキュア文書の別の例を模式的に示す図である。
【図８】図７のＶＩＩＩ−ＶＩＩＩに沿った断面図である。
【図９】本発明に従うセキュア文書の別の例を模式的に示す図である。
【図１０】図８のＸ−Ｘに沿った断面図である。
【図１１】本発明に従うセキュア文書の別の例を模式的に示す図である。
【図１２】図１０のＸＩＩ−ＸＩＩに沿った断面図である。
【図１３】図１２の図に類似した図である。
【図１４】本発明に従うセキュリティ構造の他の例を示す図である。
【図１５】本発明に従うセキュリティ構造の他の例を示す図である。
【図１６】本発明に従うセキュリティ構造の他の例を示す図である。
【図１７】本発明に従うセキュリティ構造の他の例を示す図である。
【図１８】本発明に従うセキュリティ構造の他の例を示す図である。
【図１９】本発明に従うセキュリティ構造の他の例を示す図である。
【図２０】本発明に従うセキュリティ構造の他の例を示す図である。
【図２１】本発明に従うセキュリティ構造の変形例を示す断面図である。
【図２２】本発明に従うセキュリティ構造の変形例を示す断面図である。
【図２３】図１の例の変形形態の、図２に類似した図である。
【図２４】図１の例の変形形態の、図２に類似した図である。
【図２５】図１の例の変形形態の、図２に類似した図である。
【図２６】図１の例の変形形態の、図２に類似した図である。
【図２７】本発明に従う別のセキュリティ要素を示す図である。
【図２８Ａ】非不透明微小領域の変形例を示す図である。
【図２８Ｂ】非不透明微小領域の変形例を示す図である。
【図２９】干渉パターンのビューイングを模式的に示す図である。
【図３０】干渉パターンのビューイングを模式的に示す図である。
【発明を実施するための形態】
【００１５】
模式的であるこれらの図において、様々な構成要素の実際の相対的比率は、図面の明瞭さのために、必ずしも従われていない。ある種の層は、簡潔さのために一体であるとして表されうるのに対し、現実では、それらの層は、幾つかのサブ層から構成されうる。加えて、ある種の層は、層間に配置された接着層を用いて結合されてもよく、接着層は、図面において常に示されているとは限らない。最後に、並置された不透明及び非不透明領域の存在において、この存在は、並んで配置された２つの領域だけにより、単に模式的に示されるが、現実では、これらの様々な領域は、ほとんどの場合、２つを超え、その場合、配置は、例えばテキスト又はラスター画像を画定するために、複雑となりうることが理解される。図において、回折光学要素は、非常に単純に且つ模式的に示されている。エンボス加工によって生じうる潜在的な表面レリーフは特に示されていない。表面レリーフが示されていないことは、表面レリーフが存在する可能性を全く排除しない。
【００１６】
非不透明微小領域
語「非不透明微小領域」は、この領域を通過した光によって干渉パターンを見ることを可能にするために光に対して十分に透過性である領域であって、１００００００μｍ２以下、又は望ましくは２０００００μｍ２以下、又はさらに望ましくは１０μｍ２〜２０００００μｍ２の範囲、又はさらに望ましくは５０００μｍ２〜２０００００μｍ２の範囲、の表面積を有する横断面を有する領域をいう。好ましくは、非不透明微小領域が、透過光中でＤＯＥを観察するのに十分に大きく、且つ反射中で実質的に可視できないように十分に小さい横断面積を有する。従って、非不透明微小領域は、限定された広がりを有し、不透明な周縁によって境界が画定される。非不透明微小領域は、半透明であって、特に領域を通過した光の一部分を散乱させてもよく、又は、透明であって、領域を通過した光を散乱させなくてもよい。好ましくは、非不透明微小領域が透明である。
【００１７】
語「不透明な周縁」は、周縁のより高い光学濃度、又は１若しくは望ましくは１．５に等しい光学濃度、を意味することが理解されるべきである。
【００１８】
非不透明微小領域は、ある種の観察条件下でのみ容易に検出可能であるという利点を提供し、従って、これらの観察条件が満たされない場合、非不透明微小領域は、肉眼によって容易には見えない。従って、非不透明微小領域の使用は、回折光学要素がより容易に隠されることを可能にし、偽造の達成をより困難にする。
【００１９】
非不透明微小領域は、円形の断面、或いは非円形の断面、特に多角形、具体的には正多角形若しくは非正多角形、又は長円形、特に楕円形の断面、を有しうる。
【００２０】
非不透明微小領域は、非不透明微小領域の全周に沿って広がる繊維質材料の層又は非繊維質材料の層の中に形成されうる。
【００２１】
非不透明微小領域は、透明材料、特に保護接着剤材料を含む透明材料、によって少なくとも部分的に、好ましくは完全に満たされた、実質的に不透明な材料の層の微小穿孔でありうる。微小穿孔の中へ入り込むことによって、この透明材料は、実質的に不透明な材料の層と回折光学要素を担持する層とが一緒に堅く接合されることを可能にする。微小穿孔が少なくとも部分的に満たされていることは、微小穿孔が、外部環境、特に塵埃、から保護されることを可能にする。
【００２２】
例えば、非不透明微小領域又はそれぞれの非不透明微小領域は、実質的に不透明な材料の層内における材料の不在によって画定されてもよく、特に、この不透明材料が例えば繊維質基体であるときには、この不透明材料を貫通する微小穿孔によって画定されてもよく、又は、この不透明材料が金属であるときには、脱金属化によって画定されうる。
【００２３】
微小穿孔が存在する場合、微小穿孔は、好ましくは、レーザーによって形成される。変形例として、微小穿孔は、微小針又は水ジェットによって形成される。
【００２４】
非不透明微小領域が微小穿孔からなるとき、この微小穿孔の軸は、好ましくは、微小穿孔が形成されている層の表面に対して実質的に垂直に向けられる。この軸は、変形例として、微小穿孔によって横断されている層の表面に対する垂線と角度を形成しうる。
【００２５】
非不透明微小領域は、微小穿孔によって画定されているときに、微小穿孔によって横断されている層の厚さの全体にわたって、一定の横断面積又は一定でない横断面積を有しうる。
【００２６】
さらに、非不透明微小領域の境界は、不透明インクを用いた、特に可塑性材料の透明フィルム、例えば回折光学要素がその上に形成されたフィルムと同じフィルムの印刷によって画定されうる。
【００２７】
本発明に従う構造の同じ層は、同じ回折光学要素の上にそれぞれが少なくとも部分的に重ねられた複数の非不透明微小領域を有しうる。
【００２８】
該１又は複数の非不透明微小領域はそれぞれ、上記回折光学要素によって生成された干渉パターンの少なくとも一部分の範囲内で見つけられるパターンを形成しうる。
【００２９】
例えば、非不透明微小領域は、干渉パターンの範囲内に位置する輪郭、例えば同じ幾何学的形状、を有する。
【００３０】
幾つかの非不透明微小領域は、全体として、干渉パターンの少なくとも一部分の範囲内で見つけられるパターン、例えば、同じ有名人、場所、モニュメント若しくは物体の画像、又は同じテキスト、例えば紙幣の価値若しくは銀行名、を画定しうる。該パターンは、上記パターンを干渉パターンと比較することによって、観察者による認証を容易にする。偽造では、セキュリティ構造の微小領域内と干渉パターン内の両方でパターンを再現する必要があるため、この配置は、文書のセキュリティを強化する。
【００３１】
微小穿孔によって形成された非不透明微小領域の場合、微小穿孔によって横断されている層の厚さは、１０〜１００００００μｍの範囲でありうる。
【００３２】
非不透明微小領域の数は、好ましくは、１ｃｍ２当たり１〜１５００個、好ましくは１ｃｍ２当たり１０〜５００個、よりいっそう好ましくは１ｃｍ２当たり１０〜３００個、の範囲である。
【００３３】
回折光学要素
回折光学要素から距離を置いて位置する像形成平面に干渉パターンを生成する回折光学要素は、好ましくは、ディジタル型である。その場合、回折光学要素の製造は、国際公開第２００８／０３１１７０号に記載されているように、２次元の干渉パターンを形成するように像形成平面において再構成された複素数データの関数として適用されるダイパターニング（die  patterning）に基づく。従って、平行光源によって照明されたとき、回折光学要素は、この像形成平面に像を生み出す干渉パターンを生成し、これは、この平面に配置された表面上で見ることができ、又はこの平面から始まる透過中で見ることができる。
【００３４】
要素と像形成平面との間の数学的変換は、高速フーリエ変換（ＦＦＴ）に関係付けられることができる。従って、位相情報及び振幅情報を含む複素数データは、この要素の微細構造内に物理的に符合化されていなければならない。微細構造に与えられるレリーフは、像形成平面における所望のパターンの逆ＦＦＴ変換を実行することによって計算されうる。
【００３５】
回折光学要素は時に、コンピューター生成ホログラムとして分類され、他の種類のホログラム、例えばレインボー、フレネル（Fresnel）又は３Ｄ反射ホログラムとは異なる。
【００３６】
好ましくは、回折光学要素が、エンボス加工された構造である。
【００３７】
好ましくは、回折光学要素によって生成された干渉パターンは、少なくとも部分的に、又は望ましくはその全体が、セキュリティ構造上で、又はセキュリティ構造を特に、印刷された特徴（feature）の形態、ウォーターマーク（watermark）の形態、及び／又は微小穿孔又は金属化若しくは脱金属化によって生成されたパターンの形態で組み込んだ物品、特に文書、上で見つけられる。微小穿孔の場合、そのうちの１つの微小穿孔が、非不透明微小領域を画定することができる。
【００３８】
例えば、回折光学要素は有名人の像を生成し、非不透明微小領域を画定する微小穿孔が形成された繊維質基体上には、同じ有名人を再現するウォーターマークが存在する。
【００３９】
非不透明微小領域も、干渉パターンの全部又は一部を再現するセキュリティ要素に属しうる。例えば、非不透明微小領域は、金属化されたセキュリティスレッド（security  thread）の脱金属化によって形成され、干渉パターンによって生成された有名人の像は、スレッド上での脱金属化によって形成された、回折光学要素と重ね合わされた又は重ね合わされていない、そのスレッド上で見つけられる。
【００４０】
好ましくは、回折光学要素が、特にその平面の全方向において、非不透明微小領域よりも小さい。変形例として、回折光学要素が、その平面の少なくとも１つの方向において、非不透明微小領域よりも大きいことがありうる。
【００４１】
回折光学要素は、好ましくは、５０μｍ以下の厚さを有する、好ましくは透明な、熱可塑性フィルム上に、特にこのフィルムのエンボス加工によって形成される。この熱可塑性フィルムは、少なくとも部分的に、非不透明微小領域を担持する層又はそれを貫いて非不透明微小領域が形成された層と積層されうる。変形例として、回折光学要素を備えている熱可塑性フィルムは、非不透明微小領域を担持する層に、接着剤によって、好ましくは接着剤材料を含む保護構造によって固定される。以前に記載された通り、この接着剤構造は、液体状態で、熱可塑性フィルムと非不透明微小領域を担持する層との間に、少なくとも１つの微小穿孔を介して、特に、少なくとも１つの非不透明微小領域を形成している少なくとも１つの微小穿孔を介して、導入されうる。
【００４２】
該熱可塑性フィルムの存在は、回折光学要素が、セキュア物品の残りの部分から独立して形成されること、従って回折光学要素の製造が容易にされることを可能にする。
【００４３】
該熱可塑性フィルムは、回折光学要素と少なくとも部分的に重ね合わされた少なくとも１つの透明領域、特に非不透明微小領域、を有するセキュリティ要素と、特にセキュリティスレッド又はフォイル（foil）と、積層又は接合されうる。このセキュリティ要素は、セキュリティ化パターン（securitizing  pattern）、特に、印刷された特徴の形態、微小穿孔の形態、又は金属化若しくは脱金属化の形態のセキュリティ化パターンを含みうる。上で指摘されている通り、このパターンは、少なくとも部分的に、回折光学要素によって生成された干渉パターンに対応しうる。
【００４４】
該回折光学要素は、「ロールツーロール（roll-to-roll）」プロセスによって熱可塑性フィルム上に記録されうる。
【００４５】
該回折光学要素は、多色光又は単色光の下で見られうる。
【００４６】
該回折光学要素は、回折光学要素に到達する光又は回折光学要素を出た光の経路中に置かれた干渉型、イリデサント（iridescent）型又は吸収型の光学フィルターと関連付けられうる。このフィルターは、セキュリティ構造又は物品に属してもよく、そのため、追加のセキュリティ要素を構成しうる。
【００４７】
セキュリティ構造
セキュリティ構造は、繊維質基体の製造中に繊維質基体中に統合された、又は繊維質基体の表面に移された要素の形態をとりうる。
【００４８】
セキュリティ構造は、パッチ、セキュリティスレッド、フォイル又はフィルムの形態をとりうる。
【００４９】
セキュリティ構造は、セキュリティ構造の反対側の２つの面が外部環境にさらされ、若しくは、それらの面のうち一方の面だけが外部環境にさらされうるか、又は、セキュリティ構造の両方の面が、完全に不透明ではない１つ又は複数の層、例えば保護フィルム又はワニスでコーティングされうる。
【００５０】
セキュリティ構造は、物品、特に文書、の残りの部分中若しくは部分上へのセキュリティ構造の統合時に、単一の要素からなってもよく、又は、物品、特に文書、の残りの部分によって結合された、例えば文書の基体の異なる面に移された、幾つかのサブ要素から構成されうる。これらのサブ要素は、互いに接触しても又は接触しなくてもよい。例えば、第１のサブ要素は、回折光学要素を担持してもよく、第２のサブ要素は、関連付けられた非不透明微小領域を担持してもよく、これらの２つのサブ要素は、文書の少なくとも１つの基体層によって分離されてもよく、又は、お互いに直接に結合されうる。
【００５１】
好ましくは、セキュリティ構造が、回折光学要素を担持する第１のサブ要素、特に回折光学要素と、非不透明微小領域を担持する第２のサブ要素との間に配置された、保護接着剤構造、又は保護構造に関連付けられた接着剤構造を備えている。
【００５２】
語「保護接着剤構造又は保護構造」は、特に回折光学要素がエンボス加工された構造であるときに、回折光学要素を機械的及び／又は光学的に保護するように設計された１又は複数の層を意味することが理解される。
【００５３】
保護接着剤構造は、好ましくは、回折光学要素上に配置された、ＨＲＩ（高屈折率（high  refractive  index））材料と接着剤材料との混合物の層を含む。
【００５４】
変形例として、第１のサブ要素は、ＨＲＩ材料の層、好ましくは真空蒸着によって回折光学要素上に堆積させたＨＲＩ材料の層を含み、好ましくは、その上に接着剤材料の層が配置されており、この接着剤材料の層は、好ましくは、ＨＲＩ材料の層と、非不透明微小領域を担持する第２のサブ要素との間に配置される。このＨＲＩ材料の層と接着剤材料の層との重ね合わせが保護接着剤構造を形成する。この接着層は、回折光学要素に機械的保護を提供する。
【００５５】
ＨＲＩ材料は、回折光学要素が、接着剤材料の存在によって生じうる、回折光学要素の光学的効果の減衰又は取り消しから保護されることを可能にする。
【００５６】
他の変形例として、接着剤構造に関連付けられた保護構造は、回折光学要素上に配置された、ＨＲＩ（高屈折率）材料と結合剤との混合物を含み、接着剤構造は、好ましくは、保護構造上に配置され、特に、非不透明微小領域を担持する第２のサブ要素と保護構造との間に配置される。
【００５７】
他の変形例として、第１のサブ要素は、回折光学構造上に配置されたＨＲＩ材料の層、特に真空蒸着によって堆積させたＨＲＩ材料の層、を含み、その上に、結合剤を含む層が配置されており、ＨＲＩ材料の層と結合剤を含む層との重ね合わせが、接着剤構造に関連付けられた保護構造を形成する。接着剤構造は、好ましくは、保護構造上に配置され、特に、保護構造と非不透明微小領域を担持する第２のサブ要素との間に配置される。
【００５８】
好ましくは、該結合剤が、例えば特定のマーカー又は発光性化合物の存在によってセキュアにされる。ＨＲＩ材料の層は、回折光学要素に光学的保護を提供し、結合剤の層は、回折光学要素に機械的保護を提供する。
【００５９】
ＨＲＩ材料は、回折光学要素が、接着剤材料の存在及び／又は結合剤を含む層の存在によって生じうる、回折光学要素の光学的効果の減衰又は取り消しから保護されることを可能にする。
【００６０】
「ＨＲＩ材料」は、高い屈折率、好ましくは１．７以上の高い屈折率を有する材料を意味することが理解される。ＨＲＩ材料は好ましくは、硫化亜鉛（ＺｎＳ）、酸化亜鉛（ＺｎＯ）、酸化ジルコニウム（ＺｒＯ２）、二酸化チタン（ＴｉＯ２）、炭素（Ｃ）、酸化インジウム（Ｉｎ２Ｏ３）、酸化インジウムスズ（ＩＴＯ）、五酸化タンタル（Ｔａ２Ｏ５）、酸化セリウム（ＣｅＯ２）、酸化イットリウム（Ｙ２Ｏ３）、酸化ユウロピウム（Ｅｕ２Ｏ３）、酸化鉄、窒化ハフニウム（ＨｆＮ）、炭化ハフニウム（ＨｆＣ）、酸化ハフニウム（ＨｆＯ２）、酸化ランタン（Ｌａ２Ｏ３）、酸化マグネシウム（ＭｇＯ）、酸化ネオジム（Ｎｄ２Ｏ３）、酸化プラセオジム（Ｐｒ６Ｏ１１）、酸化サマリウム（Ｓｍ２Ｏ３）、三酸化アンチモン（Ｓｂ２Ｏ３）、炭化ケイ素（ＳｉＣ）、窒化ケイ素（ＳｉｚＮｕ）、一酸化ケイ素（ＳｉＯ）、三酸化セレン（Ｓｅ２Ｏ３）、酸化スズ（ＳｎＯ２）、三酸化タングステン（ＷＯ３）、これらの組合せ及び他の同種の化合物の中から選択される。
【００６１】
保護接着剤構造、又は保護構造に関連付けられた接着剤構造は、第２のサブ要素の１つ又は複数の微小穿孔、特に非不透明微小領域を画定する少なくとも１つの微小穿孔、を介して導入されうる。保護接着剤構造、又は保護構造に関連付けられた接着剤構造は、１又は複数の微小穿孔を、部分的に、又は好ましくは完全に、満たしうる。
【００６２】
変形例として、回折光学要素は、第１のサブ要素の第１の側に配置され、回折光学要素を何ら有していないサブ要素の第２の側及び接着剤構造は、第２のサブ要素と第１のサブ要素の第２の側との間に配置される。従って、接着剤構造は、回折光学要素と接触していない。
【００６３】
セキュリティ構造は、複数の上記回折光学要素を備えていてもよく、それらの回折光学要素はそれぞれ、回折光学要素から距離を置いて位置する像形成平面に干渉パターンを生成しうる。
【００６４】
これらの回折光学要素は、相補的であり又は相補的ではない、異なる干渉パターン又は同一の干渉パターンを生成しうる。
【００６５】
好ましくは、保護接着剤構造又は保護構造が、全ての回折光学要素に施与される。
【００６６】
セキュリティ構造は、複数の非不透明微小領域を備えていてもよく、それらの非不透明微小領域はそれぞれ、少なくとも１つの対応するそれぞれの回折光学要素の上に少なくとも部分的に重ねられうる。
【００６７】
好ましくは、同じ回折光学要素の上に複数の非不透明微小領域が重ねられる。
【００６８】
１又は複数の非不透明微小領域は、少なくとも１つの回折光学要素によって生成された干渉パターンの範囲内で少なくとも部分的に見つけられるパターンを視覚的に画定しうる。例えば、幾つかの非不透明微小領域は、１つ又は複数の英数字を再現する配置に従い配置され、干渉パターンは、これらの同じ英数字の像を像形成平面に生成する。このパターンは、このパターンを干渉のパターンと比較することによる認証を容易にする。この配置はさらに、セキュリティ構造の微小領域内と干渉パターン内の両方でパターンを再現しなければならないであろう潜在的偽造者の困難を増大させる。
【００６９】
該セキュリティ構造は、非不透明微小領域の上に少なくとも部分的に重ねられた少なくとも１つの吸収又は干渉フィルター、特に着色フィルター、を備えうる。
【００７０】
該セキュリティ構造は、セキュリティ構造の表面に対する垂線と角度を形成する軸を有する微小穿孔によってそれぞれが形成された、少なくとも２つの非不透明微小領域を備えていてもよく、それらの角度は異なりうる。少なくとも２つの回折光学要素がそれぞれ、対応するそれぞれの非不透明微小領域の上に少なくとも部分的に重ねられうる。この配置は、光ビームを異なる向きに向けることによって、生成される干渉パターンのうちの一方の干渉パターン又はもう一方の干渉パターンを見る能力を可能にし、例えば、これらの２つの干渉パターンを交互に観察することによってアニメーションを生み出す能力を可能にする。
【００７１】
セキュア物品、特に文書
本発明の他の主題は、本発明に従うセキュリティ構造を備えているセキュア物品、特に文書、である。
【００７２】
該セキュア文書は、少なくとも１つの窓を有する基体、特に繊維質の基体、を備えていてもよく、この窓は、回折光学要素の上と非不透明微小領域の上の両方に、少なくとも部分的に重ねられうる。このセキュリティ構造は、この基体上に移され、又はこの基体中に統合されうる。
【００７３】
該セキュア物品は、回折光学要素の上と第１の非不透明微小領域の上の両方に少なくとも部分的に重ねられた、少なくとも第２の非不透明微小領域を有しうる。その非不透明微小領域又はそれぞれの非不透明微小領域は、材料の不在、特に微小穿孔によって画定されうる。微小穿孔はそれぞれ、繊維質層中に形成されうる。観察は、これらの２つの非不透明微小領域を通して実施される。
【００７４】
該セキュア物品は、非不透明微小領域を画定する微小穿孔を備えている基体、特に繊維質の基体、を備えていてもよく、回折光学要素は、上記基体上に移され又は上記基体中に統合されたセキュリティ要素上に存在しうる。この場合、セキュリティ構造は、セキュリティ要素と基体とからなる。
【００７５】
該セキュア物品は、回折光学要素の上に重ねられた少なくとも１つの非不透明微小領域を有するセキュリティ要素を備えうる。回折光学要素は、例えば積層によってセキュリティ要素に結合された熱可塑性フィルム上に形成されてもよく、一方、セキュリティ要素は既に所定の位置にあるか又は文書上にない。
【００７６】
該セキュア物品は、パスポート、識別カード、アクセスカード、運転免許証、インタラクティブプレイングカード若しくはコレクターズカード、支払い手段、特にペイメントカード、紙幣、納税印紙、ビネット（vignette）、クーポン、トラベルカード、ロイヤルティカード、サービスカード若しくはメンバーシップカード、トークン、又はカジノチップでありうる。
【００７７】
該セキュア物品は、好ましくは、干渉パターンと少なくとも部分的に同一であるか又は類似している少なくとも１つのセキュリティ要素又はパターンを担持する。
【００７８】
「類似している」は、変換、特にリスケーリング（re-scaling）、を適用することによって、２つのパターンが同一になりうること、２つのパターンが同じ形状でありうること、２つのパターンが同じ情報、特に英数字の情報、を提示しうること、を意味することが理解される。この場合、タイポグラフィ（typography）は異なることができる。それらの２つのパターンは、例えば、同じ文字情報、特に婚姻上の身分、紙幣の通貨、場所の名称、日付、又は同じ視覚情報、特に写真又は図、を含む。
【００７９】
認証方法
本発明の他の１つの主題は、本発明に従うセキュリティ構造又はセキュア物品、特に文書、の認証方法であって、
回折光学要素を光源を用いて照明する工程、
回折光学要素から距離を置いて位置する像形成平面における干渉パターンの存在を、特に非不透明微小領域を通して、検証する工程
を含む方法である。
【００８０】
該光は、好ましくは平行光である。
【００８１】
好ましくは、該回折光学要素が照明されたときに、光が、非不透明微小領域を横切り、その後に、回折光学要素に遭遇し、干渉パターンを生成する。
【００８２】
光源は、多色光源でもよく、像形成平面は、仮想の平面でもよく、光源とセキュリティ構造との間に配置されうる。この多色光は白色光でありうる。この干渉パターンは、ビューファインダーの働きをする非不透明微小領域を通して観察される。
【００８３】
該方法は、少なくとも１つのフィルター、例えば着色フィルター又は干渉フィルターを、光ビームとセキュリティ構造の間又は像形成平面と観察者の間に配置する工程を含みうる。
【００８４】
該フィルターの存在は、単一の波長が選択されること、及び、特に、異なる色を有する単純なパターンの重ね合わせからなる複雑なマルチトーンパターンの場合に、隠された要素又はフィルターなしで見ることが困難な要素がより容易に見られることを可能にする。
【００８５】
変形例として、光源は、単色光源、特にコヒーレントで且つ／又は平行な光である単色光源でもよく、像形成平面は、実在の平面でもよく、光源から見てセキュリティ構造の後ろに配置されうる。
【００８６】
干渉パターンの存在の検証は、像形成平面にフォーカシングが位置するカメラを備えている装置、特に携帯電話によって実施されうる。目以外の装置の使用は、高強度光に関連付けられた目に対する任意の危険性、特にレーザーの使用の場合の危険性が回避されることを可能にする。
【００８７】
該方法は、回折光学要素によって生成された干渉パターンを、物品上に存在するパターン、特に、ウォーターマーク、印刷された特徴、金属化若しくは脱金属化、又は微小穿孔によって画定されたパターン、或いは、例えばＲＦＩＤチップ上又はサーバ上に記録された直接には観測できない形態のパターンと比較する工程を含みうる。ＲＦＩＤチップ上又はサーバ上に記録されたパターンへのアクセスは、文書上に存在するリンクによって得られうる。
【００８８】
該方法は、干渉パターンからのデータが、その文書の他の場所によって担持されたデータと実際に対応することを検証する工程を含みうる。
【００８９】
回折光学要素によって生成された干渉パターンの電子装置による観察の場合、物品、特に文書、の認証を検証するために、その電子装置は、観察された像を自動的に分析するように構成されてもよく、例えば、その像を参照情報と比較するように構成され、又は、参照情報と比較される情報をその像から抽出するためにその像を解読するように構成されうる。
【００９０】
該電子装置は、観察された干渉パターンを分析するように構成され、さらに、物品、特に文書、の認証が検証されることを可能にするデータベースにアクセスするように構成されうる。
【００９１】
物品、特に文書、は、遠隔サーバを介して参照データにアクセスされることを可能にする情報を担持しうる。このデータは次いで、観察された像が本物の回折光学要素から生じたものであることが検証されることを可能にする。
【００９２】
この情報は、文書上に存在するＲＦＩＤチップに記憶され、干渉パターンを、例えばＮＦＣ技術を使用して観察する目的に使用される装置によって読まれうる。
【００９３】
図１及び図２に示されたセキュア物品１０、例えば文書、例えば紙幣、は、非不透明微小領域３０の上に少なくとも部分的に重ねられた回折光学要素４０を備えている、本発明に従うセキュリティ構造２を備えている。
【００９４】
物品１０は、回折光学要素４０への視覚的アクセスを与える窓１５を有する基体１１、特に紙製の基体１１、を備えている。
【００９５】
検討されている例において、非不透明微小領域３０は、基体１１とともに結合された文書１０の基体１８、特に紙製の基体１８、を貫いて形成された、軸Ｘを有する微小穿孔によって形成されている。
【００９６】
該回折光学要素は、透明可塑性材料のフィルム４３上に形成されており、フィルム４３は、回折光学要素４０の上及び微小穿孔３０の上に少なくとも部分的に重ねられた非不透明領域２３を有するセキュリティ要素２０とともに結合されている。
【００９７】
熱可塑性フィルム４３は、ポリエチレンテレフタレート（ＰＥＴ）製でありうる。
【００９８】
回折光学要素４０は、距離を置いて位置する像形成平面に干渉パターンを生成する。
【００９９】
これらの様々な開口及び透明領域の少なくとも部分的な整列は、セキュア文書１の一方の面からもう一方の面まで延びる非不透明領域Ａを画定する。
【０１００】
図２９及び図３０を参照して、セキュリティ構造２を見る本発明に従う方法の例が説明される。
【０１０１】
セキュリティ構造２の干渉パターンを見ることは、光源６０を用いて非不透明微小領域３０を照明することにより、回折光学要素４０から距離を置いて位置する平面６２において達成される。
【０１０２】
セキュリティ構造２は、好ましくは、セキュリティ構造２の平面が、光源６０から生じた入射光に対して垂直に向けられ、非不透明微小領域３０が好ましくは光源６０の側に配置されるような態様で配置される。
【０１０３】
非不透明微小領域３０は特に、回折光学要素４０が入射ビームのターゲットとされることを可能にする。
【０１０４】
光源６０は、好ましくは平行光源である。
【０１０５】
図２９に示されているように、光源６０は、単色光源、特にレーザー、でありうる。その場合、像形成平面６２は実在の平面であり、光源６０から見てセキュリティ構造２の下流に配置される。干渉パターン６６を見ることは、可搬式装置、特に、写真モード又はビデオ・モードに設定され像形成平面６２に配置された携帯電話、の助けを借りて達成されることができる。干渉パターン６６は、非不透明微小領域３０を通して見られる。
【０１０６】
図３０に示されているように、光源６０は多色源でありうる。その場合、像形成平面６２は仮想の平面であり、光源６０から見てセキュリティ構造２の上流に配置される。干渉パターン６６は、非不透明微小領域３０を通して光源６０を観察することによって見られる。
【０１０７】
セキュリティ構造２の認証は、セキュリティ構造２の上流又は下流に配置されたフィルター６８の使用を必要としうる。このフィルターは、目で見ることができる波長がフィルターにかけられることを可能にすることができる。
【０１０８】
セキュリティ構造２は、回折光学要素４０によって生成された干渉パターン６６を、セキュリティ構造２上又は関連物品１０上に存在する１つ又は複数の追加の情報片、例えば、ウォーターマーク、印刷された特徴、金属化若しくは脱金属化、又は微小穿孔によって画定された比較パターン、と比較することによって、認証されることができる。非不透明微小領域３０、特に脱金属化又は微小穿孔である非不透明微小領域３０は、少なくとも部分的に、この比較パターンを構成しうる。
【０１０９】
本発明は、特定のセキュア物品だけに限定されず、セキュア物品は、有価文書以外、特に識別文書又はカード、でありうる。従って、図１及び図２の例の基体１１及び１８は非繊維質でありうる。
【０１１０】
回折光学要素４０は、以前に記載された方法のうちの１つの方法に従い熱可塑性フィルム４３上に形成されうる。回折光学要素４０の厚さｅは、好ましくは５０μｍ以下、又は、望ましくは２５μｍ以下である。
【０１１１】
回折光学要素４０は、図２に示されているように、非不透明微小領域３０の断面積よりも大きな断面積を有しうる。
【０１１２】
非不透明微小領域３０は、好ましくは１００００００μｍ２未満、又は、望ましくは２０００００μｍ２以下、又は、さらに望ましくは１０μｍ２〜２０００００μｍ２の範囲、又は、さらに望ましくは５０００μｍ２〜２０００００μｍ２の範囲、の断面積Ｓを有する。
【０１１３】
非不透明微小領域３０は、微小穿孔の形態をとるときに、様々なやり方で構成されうる。
【０１１４】
図１４に示されているように、非不透明微小領域３０は、可変断面積、特に、回折光学要素４０の方向に次第に狭くなる可変断面積、を有しうる。
【０１１５】
図１５は、その軸Ｘが、セキュリティ構造２の表面に対する垂線と非ゼロの角度αを形成する微小穿孔によって形成される非不透明微小領域３０を示す。角度αは、−４５°〜４５°の範囲でありうる。
【０１１６】
図１６に示されているように、セキュリティ構造２は、同じ表面Ｓ１２上に開いた少なくとも２つの非不透明微小領域３０１及び３０２を備えていてもよく、その場合、それぞれの非不透明微小領域３０１及び３０２は、対応するそれぞれの回折光学要素４０１又は４０２の上に重ねられうる。見る角度を変化させることによって、この構成は、それを観察することが望まれている回折光学要素が選択されることを可能にする。望まれる場合には、これらの２つの干渉パターンを交互に見ることによって、アニメーションが観察されることができる。
【０１１７】
非不透明微小領域３０は、不透明層を貫通する微小穿孔のそれとは異なる態様で形成されうる。
【０１１８】
図１７に示されているように、非不透明微小領域３０は、無色又は非無色の透明非不透明材料で満たされうる。
【０１１９】
図１８に示されているように、非不透明微小領域３０は、印刷された特徴３５によって境界が画定されうる。印刷された特徴がその上に形成された層３８は、印刷された特徴とは反対側の面に回折光学要素４０を担持する透明フィルムでありうる。
【０１２０】
変形例として、非不透明微小領域３０は、図１９に示されているように、金属層３７の脱金属化によって形成されうる。
【０１２１】
セキュリティ構造２は、回折光学要素に到達する光又は回折光学要素を出た光の経路中に置かれた光学フィルターを備えうる。
【０１２２】
図２０は、非不透明微小領域３０の上に重ねられた吸収又は干渉光学フィルター８０、特に着色フィルター８０、を備えているセキュリティ構造２を示す。
【０１２３】
フィルター８０は、回折光学要素４０の上流又は下流に配置されうる。フィルター８０は、干渉パターンが見られるときに、１つ又は複数の光波長が選択されることを可能にする。このフィルターは、表示色の選択を可能にすることによって、干渉パターンがパーソナライズされる（personalized）ことを可能にする。
【０１２４】
図２１に示されているように、セキュリティ構造２は、複数の回折光学要素４０１、．．．、４０ｉと、対応するそれぞれの軸Ｘ１、．．．、Ｘｉを有する複数の対応するそれぞれの非不透明微小領域３０１、．．．、３０ｉと、を備えうる。非不透明微小領域３０１、．．．、３０ｉは、対応する回折光学要素４０１、．．．、４０ｉの上にそれぞれ重ね合わせられる。
【０１２５】
セキュリティ構造２は、それぞれが少なくとも１つの回折光学要素４０１、．．．、４０ｉと少なくとも部分的に重ね合わされた１つ又は複数の非不透明領域２３を備えているセキュリティ要素２０を備えうる。非不透明領域２３は、少なくとも２つの回折光学要素４０１、．．．、４０ｉと重ね合わされうる。
【０１２６】
図２３に示された変形例において、セキュリティ構造２は、複数の着色フィルター６０１、．．．、６０ｉ、特に、異なる色の着色フィルター６０１、．．．、６０ｉ、を備えている。複数の着色フィルター６０１、．．．、６０ｉのそれぞれは、少なくとも１つの対応するそれぞれの回折光学要素４０１、．．．、４０ｉの上にそれぞれ重ね合わせられる。
【０１２７】
回折光学要素４０の上及び非不透明微小領域３０の上に少なくとも部分的に重ねられたセキュリティ要素２０を、セキュリティ構造２が備えうることは、特に図２において見られることができる。より具体的には、示されているように、このセキュリティ要素２０は、窓１５を通して見られることができ、基体１１と回折光学要素４０を担持するフィルム４３との間に置かれることができる。
【０１２８】
セキュリティ要素２０は、好ましくは、少なくとも部分的に不透明であり、例えば少なくとも部分的に金属化されている。
【０１２９】
非不透明領域２３は、脱金属化又は穿孔によって形成されうる。
【０１３０】
図１に示されているように、要素２０は、窓１５を通して見ることができるセキュリティ特徴、例えば、非不透明領域２３の外側に置かれたパターン５０の形態のセキュリティ特徴、を提供することができ、このパターン５０は例えば、印刷又は脱金属化によって形成される。
【０１３１】
図１に示されているように、パターン５０は例えば英数字から構成される。これは、銀行名、国名及び／又は紙幣の価値に関する情報を提供するテキストでありうる。
【０１３２】
パターン５０は、国際公開第２００６／０６６９２７号の教示に従い、透過光中の像を再現するラスター点の形態で形成されてもよく、その場合、パターン５０の複数の脱金属化又は穿孔のうちの１つの脱金属化又は穿孔が非不透明微小領域３０を形成することができる。
【０１３３】
パターン５０は、好ましくは、回折光学要素４０によって生成された干渉パターン６６の範囲内で部分的に、又は完全に見つけられる。例えば、図１において、紙幣の価値を表すパターン５０は、やはり紙幣の価値を表す干渉パターンの範囲内で見つけられ、その場合、タイポグラフィは、同一でも又は異なっていてもよい。
【０１３４】
一般的に言って、金属化された層を備えているセキュリティ要素２０の場合、使用可能な金属として、アルミニウム、銅、金、鉄、銀、クロム、ニッケル、亜鉛、カドミウム、ビスマス、並びにこれらの合金及び酸化物の名が挙げられうる。
【０１３５】
セキュリティ要素２０は、セキュリティパッチ、スレッド又はフォイルの形態をとりうる。
【０１３６】
セキュリティ要素２０がセキュリティスレッドである場合、セキュリティ要素２０の幅は比較的に小さくてもよく、好ましくは１０ｍｍ以下でありうる。
【０１３７】
窓１５は、切抜きによって形成されてもよく、任意の形状の輪郭、例えば円形、楕円形又は図１に示されているような多角形、特に正多角形又は非正多角形の輪郭、を有しうる。
【０１３８】
文書上に単一の窓１５があってもよく、又は、文書は、幾つかの窓１５を備えうる。この場合、窓１５は、文書の同じ面又は反対側の面に配置されうる。
【０１３９】
窓１５は、例えば、形成用の紙匹上での繊維の集積を変更することによって形成されてもよく、非不透明微小領域３０は特に、微小針又は水ジェットによって、好ましくはレーザーアブレーションによって形成されうる。層１１、１８は例えば、湿っている段階において結合された繊維質層である。
【０１４０】
２つの層１１、１８はそれぞれ、例えば１０〜１０００μｍ、又は、望ましくは５０〜７００μｍ、の範囲の厚さｌを有する。
【０１４１】
２つの層１１、１８は、天然繊維及び／又は合成繊維を含みうる。
【０１４２】
基体１１及び１８は、代替的に、非繊維質でありうる。
【０１４３】
より一般的には、文書１０が、少なくとも１つの繊維質層と熱可塑性材料の層とを含む多層構造を有しうる。
【０１４４】
好ましくは、セキュア文書１に組み込まれる前に、回折光学要素４０がセキュリティ要素２０と積層される。
【０１４５】
変形例として、回折光学要素４０は、熱又は冷での接着結合によってセキュリティ要素２０に固定される。使用される接着剤は例えばポリマー接着剤型の透明接着剤、例えばＮＯＬＡＸである。
【０１４６】
図２に示されているように、セキュリティ要素２０と回折光学要素４０とから構成されたアセンブリは、２つの層１１、１８間に組み込まれてもよく、セキュリティ要素２０は、窓１５の側に配置されうる。
【０１４７】
一般的に言って、物品１０は、様々な第１、第２又は第３レベルの付加されたセキュリティ要素を備えうる。追加的なセキュリティ要素のうち、幾つかは、特定の装置を用いることなく、日光又は人工の光の下で、目によって見ることが可能である。これらのセキュリティ要素は、例えば、繊維又は着色プランセット（planchette）、印刷されるか、又は全体若しくは一部が金属化されたスレッド、を含む。これらのセキュリティ要素は、第１レベルの要素であると言われる。
【０１４８】
他の種類の追加のセキュリティ要素は、比較的簡素な装置、例えば紫外（ＵＶ）又は赤外（ＩＲ）範囲で発光するランプ、の助けを借りることによってのみ見ることができる。これらのセキュリティ要素は、例えば、繊維、プランセット、ストリップ（strip）、スレッド又は粒子を含む。これらのセキュリティ要素は、肉眼によって可視であってもなくてもよく、例えば、３６５ｎｍの波長を発するウッドランプ（Wood lamp）からの照明下で発光しうる。これらのセキュリティ要素は、第２レベルの要素であると言われる。
【０１４９】
他の追加の種類のセキュリティ要素は、それらの検出のために、より洗練された検出装置を必要とする。これらのセキュリティ要素は、例えば、１つ又は複数の外部励起源に対して同時に又は同時でなしに付された際に、特定の信号を生成することが可能である。信号の自動検出は、望まれる場合に、その文書が本物であると証明されることを可能とする。これらのセキュリティ要素は、例えば、アクティブ材料、粒子又は繊維の形態をとるトレーサーを備えており、これらのトレーサーが、オプトロニック、電気的、磁気的又は電磁的な励起に付される際に、特定の信号を生成することが可能である。これらのセキュリティ要素は、第３レベルの要素であると言われる。
【０１５０】
これらのセキュリティ要素のうちの少なくとも１つのセキュリティ要素は、回折光学要素４０によって生成された干渉パターンの範囲内で見つけられる情報を定義しうる。
【０１５１】
特に図２の例の場合がそうであるように、回折光学要素４０と非不透明微小領域３０を画定する層１８とは互いに接触しうる。
【０１５２】
変形例として、回折光学要素４０と非不透明微小領域３０を画定する層１８とは、１つ又は複数の中間層によって分離されうる。
【０１５３】
例えば、図３に示されているように、回折光学要素４０を担持するフィルム４３は、窓１５を備えている基体１１に隣接するような態様で配置されてもよく、セキュリティ要素２０は、フィルム４３と非不透明微小領域３０との間に置かれうる。
【０１５４】
好ましくは、図２３に示されているように、回折光学要素４０、特にフィルム４３の回折光学要素４０を担持する側の回折光学要素４０、と層１８とが、保護接着剤構造４５、好ましくは接着剤材料とＨＲＩ材料との混合物の層を含む保護接着剤構造４５、によって分離される。保護接着剤構造４５は、回折光学要素４０を担持するフィルム４３と層１８とが一緒にしっかりと取り付けられることを可能にする。ＨＲＩ材料の存在は、接着剤材料と回折光学要素４０との重ね合わせによって引き起こされることができる、回折光学要素の光学的効果の減衰又は取り消しを回避する。
【０１５５】
回折光学要素４０は、変形例として、接着剤材料の層をそれ自体が担持するＨＲＩ材料の層４７、特に、真空蒸着によって回折光学要素４０上に堆積させたＨＲＩ材料の層４７、を担持しうる。この場合、層４７は、この接着剤構造の存在に起因する、回折光学要素４０の光学的効果の減衰又は取り消しから、回折光学要素４０が保護されることを可能にする。接着剤構造の機械的保護は、接着剤材料の層４６によって得られる。
【０１５６】
変形例として、図２４に示されているように、回折光学要素４０、特にフィルム４３の回折光学要素を担持する側、と層１８とは、接着剤材料を含む接着剤構造４６とＨＲＩ材料を含む保護構造４７とによって分離され、保護構造４７は、回折光学要素４０、特に、フィルム４３の回折光学要素４０を担持する側、に施与され、接着剤構造４６は、保護構造４７と層１８との間に配置される。
【０１５７】
保護構造４７は、結合剤、好ましくはセキュアにされた結合剤、を含みうる。
【０１５８】
図２５に示された変形例において、フィルム４３と層１８とは、接着剤構造４６によって分離されており、層１８は、フィルム４３の回折光学要素４０のない側に位置する。回折光学要素４０上に、ＨＲＩ材料を含む保護構造４７があってもよく、特に、保護構造４７は、回折光学要素４０を完全に覆いうる。この保護構造４７は特に、セキュリティ構造２と物品１０との結合の間、回折光学要素４０が機械的に保護され、同時に光学的特性を維持することを可能にする。
【０１５９】
図２６に示された変形例において、フィルム４３と層１８とは、ＨＲＩ材料の層４７ａと、結合剤の層４７ｂと、接着剤材料を含む接着剤構造４６とを含む保護構造４７によって分離されている。ＨＲＩ材料の層４７ａは、好ましくは、回折光学要素４０を少なくとも部分的に覆い、結合剤の層４７ｂは、好ましくは、ＨＲＩ材料の層４７ａを覆う。
【０１６０】
好ましくは、結合剤が、特にＵＶ光、可視光及び／又はＩＲ光による励起の下で発光性又は吸収性である１種又は複数種の物質によって、セキュアにされる。好ましくは、それらの発光性又は吸収性の物質が非散乱性であり、結合剤の層４７ｂが透明である。それらの発光性又は吸収性の物質は、好ましくは、ナノメートルサイズの粒子である。
【０１６１】
好ましくは、回折光学要素によって生み出される光学的効果を妨げないように、層４７ａ、４７ｂ及び４６が透明である。
【０１６２】
保護構造４７の堆積は、仏国特許出願公開第２９６１３１９号明細書の中で説明されているように、回折光学要素４０上への印刷によって実施されてもよく、言い換えると、回折光学要素４０の空洞がＨＲＩ材料で満たされる。
【０１６３】
保護構造４７又は保護接着剤構造４５は、金属酸化物、例えばＴｉＯ２、のナノ粒子、特に、１〜１００ｎｍ、若しくは望ましくは５〜２５ｎｍ、の範囲の直径を有するナノ粒子、及び／又は透明ワニス、及び／又は網状化可能な（reticulatable）有機結合剤、及び／又は顔料分散剤を含みうる。
【０１６４】
保護接着剤構造４５の厚さは、好ましくは１〜１０ミクロン、又は望ましくは２〜５ミクロンの範囲である。
【０１６５】
好ましくは、接着剤構造４６又は保護接着剤構造４５が、回折光学要素４０及び／又は回折光学要素４０を担持するフィルム４３と層１８との間に、微小穿孔を介して導入される。好ましくは、独国特許出願公開第１０２０１１００４９３５号明細書の中で説明されているように、微小穿孔を、外部環境、特に塵埃、から保護するために、層４６又は４５が、図２３及び図２４に示されているように、微小穿孔を満たすように導入される。
【０１６６】
図４に示されているように、セキュリティ要素２０は、窓１５の中に配置されてもよく、フィルム４３はやはり、２つの層１１と１８の間に広がりうる。
【０１６７】
回折光学要素４０は、回折光学要素４０の周囲に連続して広がるフィルム４３の範囲内に形成されうる。変形例として、回折光学要素４０を形成するために使用されたフィルム４３は、図５に示されているように、回折光学要素４０を超えて広がらない。
【０１６８】
図６に示されているように、フィルム４３は、窓１５の中に配置されうる。存在する場合、セキュリティ要素２０に対しても同じことが当てはまりうる。
【０１６９】
図７及び図８に示されているように、セキュリティ構造２は、回折光学要素４０と、回折光学要素４０の上に少なくとも部分的に重ねられた非不透明微小領域３０を有するセキュリティ要素２０とを備えうる。
【０１７０】
第１の層１１は窓１５を有してもよく、第２の層１８は非不透明領域３２を有しうる。窓１５と非不透明領域３２とは、同じ形状及び同じサイズを有していても又は有していなくてもよく、セキュア文書１上及びセキュア文書１内に透明領域Ａを形成するような態様で、窓１５及び非不透明領域３２は、回折光学要素４０及び非不透明微小領域３０と、少なくとも部分的に重ね合わされうる。セキュリティ構造２は、窓１５と実質的に同じ形状を有してもよく、窓１５の中に配置されうる。
【０１７１】
図９に示されているセキュア文書１は、第１及び第２の層１１、１８によって形成された２つの基体１１、１８を備え、第１及び第２の層１１、１８はそれぞれ、微小穿孔３０、１６、好ましくはレーザーアブレーションによって形成された微小穿孔３０、１６、を有し、それらの微小穿孔の間に回折光学要素４０を受け取る。回折光学要素４０及び２つの微小穿孔３０、１６は重ね合わされている。
【０１７２】
図１１に示されているセキュア文書１は、窓１５を有する第１の層を形成する第１の基体１１と、非不透明微小領域３０を有する第２の層を形成する第２の基体１８とを備えている。セキュア文書１の一方の側からもう一方の側へ延び、回折光学要素４０がその中に配置された透明領域Ａをセキュア文書内に形成するように、窓１５と微小穿孔３０とは重ね合わされている。
【０１７３】
図１２に示されているように、特に、回折光学要素４０が熱可塑性フィルム４３によって担持されるときには、回折光学要素４０が２つの層１１、１８間に配置されてもよく、フィルム４３は、２つの層１１、１８とじかに接触しうる。
【０１７４】
図１３に示されているように、光学セキュリティ要素４０は、基体１８とセキュリティ要素２０との間に配置されてもよく、この基体は、非不透明微小領域３０を備えうる。
【０１７５】
図２７に示されているように、セキュリティ要素２０は、複数の微小穿孔１９によって形成されたパターン５０、ここでは文字ＡＷを備えていてもよく、その場合、これらの微小穿孔のうちの１つが、非不透明微小領域３０、例えばＡの点、を形成することができる。パターンＡＷは、回折光学要素４０によって生成された干渉パターン上に再現されることができる。
【０１７６】
非不透明微小領域４０は、様々な形状、特に図１に示されているような円形の形状、又は他の任意の形状、例えば図２８Ａに示されているような三角形若しくは図２８Ｂに示されているような三日月形の形状、でありうる。
【０１７７】
本発明は、示された実施例に限定されない。
【０１７８】
示された実施例の特徴は、示されない変形例内に組み合わされうる。
【０１７９】
表現「１つを備えている」は、反対のことが指定されている場合を除き、「少なくとも１つを備えている」と同義である。
【図１】
2016530118.tif 000003
【図２】
2016530118.tif 000004
【図３】
2016530118.tif 000005
【図４】
2016530118.tif 000006
【図５】
2016530118.tif 000007
【図６】
2016530118.tif 000008
【図７】
2016530118.tif 000009
【図８】
2016530118.tif 000010
【図９】
2016530118.tif 000011
【図１０】
2016530118.tif 000012
【図１１】
2016530118.tif 000013
【図１２】
2016530118.tif 000014
【図１３】
2016530118.tif 000015
【図１４】
2016530118.tif 000016
【図１５】
2016530118.tif 000017
【図１６】
2016530118.tif 000018
【図１７】
2016530118.tif 000019
【図１８】
2016530118.tif 000020
【図１９】
2016530118.tif 000021
【図２０】
2016530118.tif 000022
【図２１】
2016530118.tif 000023
【図２２】
2016530118.tif 000024
【図２３】
2016530118.tif 000025
【図２４】
2016530118.tif 000026
【図２５】
2016530118.tif 000027
【図２６】
2016530118.tif 000028
【図２７】
2016530118.tif 000029
【図２８Ａ】
2016530118.tif 000030
【図２８Ｂ】
2016530118.tif 000031
【図２９】
2016530118.tif 000032
【図３０】
2016530118.tif 000033
【国際調査報告】
2016530118.tif 000034
2016530118.tif 000035
2016530118.tif 000036
2016530118.tif 000037
2016530118.tif 000038
2016530118.tif 000039